(57)【要約】      （修正有）【課題】昇降路電線とドアインターロックスイッチの連結が容易な構造を提供する。【解決手段】平面帯状の被覆内にプラス線１ａ、マイナス線１ｂ及びアース線１ｃで成るコア線が一定間隔で平行に配置された昇降路電線１と、コア線のいずれか一本をドアインターロックスイッチの両端に連結するための連結線と昇降路電線１の一側面をカバーし、一側で昇降路電線１の被覆を切開した後、内側に侵入してコア線のいずれか一本の相異なる位置に接続される入力端子部と他側で連結線と接続される出力端子部が一体的に形成された二つの端子体１１２及び二つの端子体１１２の間に配置され、端子体１１２に接続されたコア線を切断・絶縁する切断体１１５を含む端子ブロック１１０と昇降路電線１の他側面をカバーし端子ブロック１１０と圧搾結合され、コア線と端子体１１２が互いに接続された状態で昇降路電線１と端子ブロック１１０を固定させる固定ブロック１２０とを含む。【選択図】図３
2011162356.tif 000002
【特許請求の範囲】
【請求項１】
平面帯状の被覆の内部に、プラス極性を有するプラス線、マイナス極性を有するマイナス線及び接地のためのアース線でなるコア線が一定間隔を置いて平行に配置された昇降路電線と；
前記昇降路電線の極性を有するコア線のいずれか一本をドアインターロックスイッチの両端にそれぞれ連結するための連結線と；
昇降路電線の一側面をカバーするもので、一側で昇降路電線の被覆を切開した後、内側に侵入して極性を有するコア線のいずれか一本の相異なる位置にそれぞれ接続される入力端子部と、他側で前記連結線とそれぞれ接続される出力端子部と、が一体的に形成された二つの端子体、及び前記二つの端子体の間に配置され、端子体に接続されたコア線を切断及び絶縁する切断体を含む端子ブロックと；
昇降路電線の他側面をカバーするもので、前記端子ブロックと圧搾結合され、コア線と端子体が互いに接続された状態で昇降路電線と端子ブロックを固定させる固定ブロックとを含むことを特徴とする、昇降路電線とドアインターロックスイッチの連結構造。
【請求項２】
前記端子体の入力端子部は、先端が電線の被覆を切開するように刃が形成されて端子ブロックの一側に突出し、中央には昇降路電線のコア線一本が挿入されるようにスリットが形成されたことを特徴とする、請求項１に記載の昇降路電線とドアインターロックスイッチの連結構造。
【請求項３】
前記切断体は、先端が昇降路電線の被覆を切開して侵透するように刃部が形成されて端子ブロックの一側に突出し、下部は電気絶縁性合成樹脂でなった絶縁部で構成され、切断体の先端によって切断されて二分されたコア線を遮断することにより電気が流れないように絶縁させることを特徴とする、請求項１に記載の昇降路電線とドアインターロックスイッチの連結構造。
【請求項４】
前記切断体の中央には、端子体が接続されたコア線一本が挿入されるように切欠部が形成され、前記切欠部には挿入されたコア線を切断するための刃が形成されたことを特徴とする、請求項３に記載の昇降路電線とドアインターロックスイッチの連結構造。
【請求項５】
前記端子ブロックと固定ブロックはフック結合されることを特徴とする、請求項１に記載の昇降路電線とドアインターロックスイッチの連結構造。
【請求項６】
前記昇降路電線と端子ブロックの間、かつ前記昇降路電線と固定ブロックの間にはパッキング部材が備えられることを特徴とする、請求項１に記載の昇降路電線とドアインターロックスイッチの連結構造。
【発明の詳細な説明】
【技術分野】
【０００１】
本発明は昇降路電線連結構造に係り、より詳しくは昇降路電線と乗り場のドアインターロックスイッチの間の連結構造に関する。
【背景技術】
【０００２】
一般に、人と貨物を上下に運ぶ昇降機は昇降路に沿って上下に移動しながら使用者が望む階に停止したときにドアが開閉するように構成され、各階には、前記昇降機が該当の階に停止するとき、昇降機ドアの開閉と同時に開閉する乗り場ドアが別に備えられる。そして、前記乗り場ドアには、昇降機使用者が昇降路で墜落するかドアに挟まれる事故を防止するための安全装置が備えられる。このような安全装置は、昇降機が停止しない階の乗り場ドアは非常キーを使わなければ開かれないようにするドアロックと、ドアが閉まっていなければ安全回路を遮断させて昇降機が動かないようにするドアスイッチとを含み、この二つを一緒にドアインターロックスイッチ（Ｄｏｏｒ Ｉｎｔｅｒｌｏｃｋ Ｓｗｉｔｃｈ）という。
【０００３】
前記ドアインターロックスイッチは、ドアが開いている場合はオフ（ｏｆｆ）になり、ドアが閉まった場合はオン（ｏｎ）になってコントローラーにドアが閉まったという信号を伝送することで、コントローラーが昇降機を駆動させるようにする。このために、各階のドアインターロックスイッチは昇降路に垂直に設置される昇降路電線を介してコントローラーに連結される。
【０００４】
図１は従来方法による昇降路電線１の連結関係を示す。具体的に、図１の（ａ）はコントローラー２２とドアインターロックスイッチ５が昇降路電線１で連結された外部状態を示し、図１の（ｂ）は昇降路電線１によるコントローラー２２とドアインターロックスイッチ５の電気結線図を示す。
同図に示すように、機械室２０にはコントローラー２２が備えられ、昇降路３０には昇降機１０が昇降可能に配置され、各階の乗り場ドア４のドアインターロックスイッチ５とコントローラー２２を連結するために昇降路電線１が敷設されている。前記昇降路電線１はコントローラー２２とドアインターロックスイッチ５を連結し、複数のコア線を含む。前記コア線は、プラス極性を有するプラス線１ａ、マイナス極性を有するマイナス線１ｂ、及び接地のためのアース線１ｃのように、通常３本で構成される。
【０００５】
ここで、前記のような極性を有するコア線のいずれか一本、つまりプラス線１ａまたはマイナス線１ｂには各階のドアインターロックスイッチ５が連結され、昇降路の最下端では前記プラス線１ａとマイナス線１ｂが互いに連結され、アース線１ｃは接地される。この際、電気設計によって前記アース線１ｃもドアインターロックスイッチ５に分岐して連結されることもできる。
【０００６】
このような電気的連結によって、乗り場ドア４が開放された場合には、ドアインターロックスイッチ５がオフ（ｏｆｆ）になって昇降機１０の作動が停止され、乗り場ドア４が閉鎖された場合にだけドアインターロックスイッチ５がオン（ｏｎ）になってコントローラー２２に電気信号が伝送されることによりコントローラー２２が昇降機１０の作動を制御するようにする。
【０００７】
このような従来の昇降路電線１は断面円形のケーブル状に構成され、電線の被覆の内部に複数のコア線が内蔵される。従来には、昇降路電線の極性を有するコア線のいずれか一本、つまりプラス線１ａまたはマイナス線１ｂにドアインターロックスイッチ５を連結するため、図１に示すように、接続地点で昇降路電線１を円形に作った後にケーブルタイで固定し、円形電線の一側部の被覆を脱皮した後、連結線３をドアインターロックスイッチ５の各端子に連結し、絶縁テープなどで巻き付けて仕上げ処理した。
【０００８】
ところで、このような方式によれば、円形部の形成、昇降路電線の切断、被覆脱皮、ドアインターロックスイッチの連結、絶縁テープのテーピングなどの多数の作業段階を経なければならないので、作業が難しくて複雑な欠点が存在し、時間が経つにつれて昇降路電線の自重によってケーブルタイが解体して円形部が解ける問題点があった。
そして、昇降路電線の被覆内部に内蔵されたコア線はそれぞれ互いに異なる極性を有するか機能が互いに異なるため、コア線間の区別が必要である。ところで、前記のように円形ケーブルを使う場合には、被覆の内部に各コア線が互いにまじっているため、相互間の区別が難しく、誤って違う位置に連結すれば、電源供給の障害及びその他の安全事故が発生するおそれが存在する。
【０００９】
そして、被覆を脱皮して連結線を連結した後、連結部分を絶縁テープで巻き付けて仕上げ処理を行うが、時間が経つにつれて絶縁テープが分離されて内部のコア線が外部に露出されるため、漏電及び感電事故が発生するおそれがあり、防水処理が正常になされないため、新築建物の底面グラインディング作業の際または底面掃除の際、振り撤かれる水が浸み込んで漏電の危険が存在する。
【００１０】
同時に、前記のような従来の方法は、主に昇降機設置現場でのみ直接作業が可能であるため、ハーネス（ｈａｒｎｅｓｓ）タイプのように工場で前もって量産することできなくて、製造費及び人件費の上昇をもたらすしかない問題点を持っている。
【発明の概要】
【発明が解決しようとする課題】
【００１１】
したがって、本発明は前記のような従来の昇降路電線とドアインターロックスイッチ連結方法の問題点を解決するためになされたもので、昇降路電線とドアインターロックスイッチの連結を容易に行うことできるようにする昇降機ドア開閉用昇降路電線連結構造を提供することをその目的とする。
【課題を解決するための手段】
【００１２】
前記のような目的を達成するために、本発明は、平面帯状の被覆の内部に、プラス極性を有するプラス線、マイナス極性を有するマイナス線及び接地のためのアース線でなるコア線が一定間隔を置いて平行に配置された昇降路電線と；前記昇降路電線の極性を有するコア線のいずれか一本をドアインターロックスイッチの両端にそれぞれ連結するための連結線と；昇降路電線の一側面をカバーするもので、一側で昇降路電線の被覆を切開した後内側に侵透して極性を有するコア線のいずれか一本の相異なる位置にそれぞれ接続される入力端子部と他側で前記連結線とそれぞれ接続される出力端子部が一体的に形成された二つの端子体、及び前記二つの端子体の間に配置され、端子体に接続されたコア線を切断及び絶縁する切断体を含む端子ブロックと；昇降路電線の他側面をカバーするもので、前記端子ブロックと圧搾結合され、コア線と端子体が互いに接続された状態で昇降路電線と端子ブロックを固定させる固定ブロックとを含む、昇降路電線とドアインターロックスイッチの連結構造を提供する。
【００１３】
前記端子体の入力端子部は、先端が電線の被覆を切開するように刃が形成されて端子ブロックの一側に突出し、中央には昇降路電線のコア線一本が挿入されるようにスリットが形成されることができる。
前記切断体は、先端が昇降路電線の被覆を切開して侵透するように刃部が形成されて端子ブロックの一側に突出し、下部は電気絶縁性合成樹脂でなった絶縁部で構成され、切断体の先端によって切断されて二分されたコア線を遮断することにより電気が流れないように絶縁させることができる。
【００１４】
前記切断体の中央には、端子体が接続されたコア線一本が挿入されるように切欠部が形成され、前記切欠部には挿入されたコア線を切断するための刃が形成されることができる。
前記端子ブロックと固定ブロックはフック結合されることができる。
前記昇降路電線と端子ブロックの間、かつ前記昇降路電線と固定ブロックの間にはパッキング部材が備えられることができる。
【発明の効果】
【００１５】
前記のような本発明によれば、昇降路電線とドアインターロックスイッチの連結を容易に行うことできるようにする昇降機ドア開閉用昇降路電線連結構造を提供することができる。
【図面の簡単な説明】
【００１６】
【図１】従来の昇降路電線の連結構造を示す図であり、（ａ）はコントローラー２２とドアインターロックスイッチ５が昇降路電線１で連結された外部状態を示し、（ｂ）は昇降路電線１によるコントローラー２２とドアインターロックスイッチ５の電気結線図を示す。
【図２】本発明による昇降路電線の連結構造を示す斜視図である。
【図３】本発明による昇降路電線の連結構造を示す分解斜視図である。
【図４】本発明によるコネクターの端子体を示す斜視図であり、（ａ）は前記端子体１１２の具体的な構成を示し、（ｂ）は切断体１１５の構成を示す。。
【図５】本発明による昇降路電線の連結の際、端子体の接続方法を順次示す断面図である。
【図６】昇降路電線の連結の際、切断体の接続方法を順次示す断面図である。
【図７】昇降路電線の極性コア線のいずれか一本（プラス線またはマイナス線）が端子体に接続され、切断体によって切断及び絶縁された状態を概略的に示す斜視図である。
【発明を実施するための形態】
【００１７】
以下、本発明の好適な実施例による昇降路電線連結構造の具体的な構成を添付図面に基づいて詳細に説明する。
下記本発明の構成によれば、昇降路電線とドアインターロックスイッチの連結のために手作業で被覆を脱皮する必要がなく、昇降路電線内部の各コア線の極性区分が容易である。また、漏電及び感電事故の危険がなく、自動化設備を用いてハーネスタイプで事前に量産できる。
【００１８】
図２及び図３に示すように、本発明によって昇降路電線をドアインターロックスイッチ５に連結するためには、昇降路電線１、コネクター１００、連結線３を必要とする。
本発明において、前記昇降路電線１は通常使われている断面円形ケーブルタイプの代わりにフラット（ｆｌａｔ）タイプの昇降路電線が使われる。フラットタイプの昇降路電線１は、図２及び図３に示すように、平面帯状のウレタンまたはＰＶＣ被覆の内部に複数のコア線、つまりプラス線１ａ、マイナス線１ｂ及びアース線１ｃが一定間隔を置いて平行に配置されている。各コア線が配置された部分は四角形または円弧形に突出することが好ましい。前記昇降路電線１は長さ方向に長く伸び、別途のブラケットまたは固定クリップなどの固定手段によって昇降路の壁面に垂直に固定設置される。
【００１９】
このような昇降路電線１の構造によれば、各コア線が所定位置に所定間隔で離隔して配置されるので、極性の区別が明らかで電線を誤って連結する可能性がなくなって作業が完璧になされる利点を持つ。
前記コネクター１００は昇降路電線１をドアインターロックスイッチ５に連結するために備えられる連結手段で、端子ブロック１１０と固定ブロック１２０でなる。
【００２０】
前記端子ブロック１１０は昇降路電線１の一側面をカバーするとともに昇降路電線１のプラス線１ａまたはマイナス線１ｂと後述する連結線３を連結するためのブロック体で、胴体は一般に合成樹脂材でなり、内部に端子体１１２及び切断体１１５がインサート射出方式で製作されるかあるいは別途に製作した後に挿入する方式などによって装着される。前記端子体１１２は、二つが端子ブロック１１０の内側面に長さ方向（昇降路電線１の延在方向）に一列に一定間隔で配置され、二つの端子体１１２の間には切断体１１５が各端子体１１２から一定間隔で隔たって一列に配置される。さらに、前記端子ブロック１１０の内側面コーナーには後述する固定ブロック１２０のフック部材１２２が差し込まれるフック孔１１３が形成され、他側面には前記端子体１１２と後述する連結線３の棒端子３ａを連結するための端子ホール１１４が形成される。
【００２１】
前記端子体１１２は、一側で昇降路電線１の被覆を切開した後、昇降路電線１の内側に挿入されて極性を有するコア線のいずれか一本、つまりプラス線１ａまたはマイナス線１ｂと接続される入力端子部１１２ａと、他側で後述する連結線３の棒端子３ａに接続される出力端子部１１２ｃとが一体的に形成された電気伝導体である。図４の（ａ）は前記端子体１１２の具体的な構成を示す。
【００２２】
図４の（ａ）に示すように、前記入力端子部１１２ａは、先端が昇降路電線１の被覆を切開して入り込むことが可能なように刃部が形成されて端子ブロック１１０の一側に突出し、中央には昇降路電線１の極性を有するコア線のいずれか一本、つまりプラス線１ａまたはマイナス線１ｂの一本が挿入できるようにスリット１１２ｂが形成された二枝状に形成される。そして、前記入力端子部１１２ａの先端は外側が内側より尖るように突出して形成されることが好ましい。そのため、入力端子部１１２ａは、二股の先端部は、それぞれが先端に行くほど幅が狭くなるように形成されている。前記スリット１１２ｂは端子体１１２の長さ方向に沿って長く延設される。
【００２３】
前記出力端子部１１２ｃは入力端子部１１２ａの後端に連結されて後述する連結線３の棒端子３ａと接続される部分で、図４の（ａ）に示すように、略‘Ｖ’字形に折り曲げられた‘Ｖ’字形接触片でなる。前記‘Ｖ’字形接触片は端子ブロック１１０の端子ホール１１４の内周面に挿合され、端子ホール１１４に連結線３の棒端子３ａが挿入される場合、‘Ｖ’字形に折り曲げられて突出した部分が棒端子３ａの外周面によって加圧されて弾性的に変形しながらひろがって出力端子部１１２ｃの全面が棒端子３ａの外周面に面接触することにより電気的に接続される。
【００２４】
一方、前記切断体１１５は端子体１１２が接続された昇降路電線１のプラス線１ａまたはマイナス線１ｂを両端子体１１２の間で切断及び絶縁する手段である。図４の（ｂ）は前記切断体１１５の構成を示す。
同図に示すように、前記切断体１１５は、先端が昇降路電線１の被覆を切開して昇降路電線１内に侵入可能なように刃部１１５ａが形成されて端子ブロック１１０の一側に突出し、中央には昇降路電線１のプラス線１ａまたはマイナス線１ｂの一本が挿入されるように切欠部１１５ｂが形成され、前記切欠部１１５ｂにも刃が形成されることにより、切欠部１１５ｂに挿入されたプラス線１ａまたはマイナス線１ｂを切断するように構成される。そして、前記切断体１１５の先端は外側が内側より尖るように突設されることが好ましい。前記切欠部１１５ｂは略円形に湾曲して形成されることが好ましい。一方、前記切断体１１５の後端部は電気絶縁性合成樹脂でなった絶縁部１１５ｃでなり、切断体１１５の先端で切断されて二分されたプラス線１ａまたはマイナス線１ｂを中間部で遮断することで電気が流れないように絶縁する機能をする。前記絶縁部１１５ｃは別に製作されて端子ブロック１１０に結合装着されることもでき、あるいはインサート射出方式で端子ブロック１１０と切断体１１５が同時に製造されることもできる。
【００２５】
前記固定ブロック１２０は昇降路電線１の他側面をカバーし、互いに接続された昇降路電線１と端子ブロック１１０を固定させるブロック体で、左右両端にそれぞれフック部材１２２が突設される。前記フック部材１２２は端子ブロック１１０の両端に形成されたフック孔１１３に挿合される。そして、前記固定ブロック１２０の内側面には、端子ブロック１１０との結合の際、端子体１１２及び切断体１１５の先端が挿入されるように挿入孔１２３が形成されることが好ましい。
【００２６】
連結線３は昇降路電線１の極性を有するコア線のいずれか一本、つまりプラス線１ａまたはマイナス線１ｂとドアインターロックスイッチ５を互いに連結する電線で、その末端には棒端子３ａが備えられ、前記棒端子３ａは端子ブロック１１０の端子ホール１１４に挿入されて端子体１１２と接続されることにより昇降路電線１のプラス線１ａまたはマイナス線１ｂと電気的に接続され、他端はドアインターロックスイッチ５の両端にそれぞれ接続される。
【００２７】
一方、前記昇降路電線１と端子ブロック１１０の間、かつ昇降路電線１と固定ブロック１２０の間にはパッキング部材１３０、１４０が備えられることが好ましい。前記パッキング部材１３０、１４０は昇降路の内部に水が流入する場合に備えて昇降路電線１の連結部を防水処理するための手段で、図３に示すように、内部が空いている四角環状に構成され、昇降路電線１の両側で、端子ブロック１１０と固定ブロック１２０のフック結合の際、互いに圧搾されることにより、連結部に水が流入することを防止して、漏電及びその他の感電事故を防止することができる。図示していないが、より効果的な防水効果のために、前記パッキング部材１３０、１４０の表面には昇降路電線１の突出部に相応する定着凹部がさらに形成されることが好ましい。つまり、昇降路電線１の各コア線１ａ〜１ｃを被覆する凹凸の形状に合わせて、パッキング部材１３０、１４０も凹凸の形状に形成されていると好ましい。
【００２８】
図５は本発明による昇降路電線１の連結の際、端子体１１２の接続方法を順次示し、図６は昇降路電線１の連結の際、切断体１１５の接続方法を順次示す。
図５に示すように、固定ブロック１２０上に昇降路電線１を配設した状態で、端子ブロック１１０の端子体１１２の入力端子部１１２ａ及び切断体１１５の刃部１１５ａが固定ブロック１２０に向かうようにし、それぞれの端子体１１２及び切断体１１５を昇降路電線１のコア線の中で極性を有するコア線、つまりプラス線１ａまたはマイナス線１ｂ上に位置させた後、治具などを用いて圧搾させる。すると、端子体１１２の入力端子部１１２ａの先端が昇降路電線１の被覆を切開しながら昇降路電線１内に侵入し、入力端子部１１２ａのスリット１１２ｂにプラス線１ａまたはマイナス線１ｂが挿入されることにより、昇降路電線１と端子体１１２が互いに電気的に接続される。
【００２９】
同時に、図６に示すように、両端子体１１２の間に装着された切断体１１５は昇降路電線１の被覆を切開して昇降路電線１内に侵入した後、切欠部１１５ｂにプラス線１ａまたはマイナス線１ｂが挿入された状態で圧搾されることにより、切欠部１１５ｂに形成された刃によって挿入されたプラス線１ａまたはマイナス線１ｂが切断され、このように切断されて二分されたプラス線１ａまたはマイナス線１ｂは切断体１１５の絶縁部１１５ｃによって遮断されて通電が防止される。
【００３０】
また、図５に示すように、固定ブロック１２０の両端のフック部材１２２は端子ブロック１１０のフック孔１１３に挿合されることで、端子体１１２と昇降路電線１が電気的に接続された状態で堅く固定される。そして、端子ブロック１１０の端子ホール１１４に連結線３の棒端子３ａを挿入すれば、棒端子３ａと端子体１１２の出力端子部１１２ｃが互いに接触して電気的に連結される。その後、連結線３の他端をドアインターロックスイッチ５の両端にそれぞれ連結すればすべての連結作業が完了する。
【００３１】
図７はこのような方法で昇降路電線１の極性コア線のいずれか一本（図面においては、例としてプラス線１ａ）が端子体１１２と接続され、切断体１１５によって切断及び絶縁された状態を概略的に示す。図７に示すように、昇降路電線１の極性コア線のいずれか一本が互いに異なる２地点で端子体１１２と接続され、両端子体１１２の間では切断体１１５の先端刃部１１５ａによって切断された後、絶縁部１１５ｃによって絶縁されることにより、両端子体１１２の両端にドアインターロックスイッチ５を連結して使うことができることになる。
【００３２】
このような方法により、昇降路電線１をドアインターロックスイッチ５と連結する場合、別途の手作業による電線の脱皮及び結線、絶縁テープのテーピングなどの複雑な作業段階を用いなくて容易に作業することができる。また、現場で直接作業せず、昇降路電線１、コネクター１００及び連結線３を工場でハーネスタイプで前もって大量で製造した後、現場で連結線３をドアインターロックスイッチ５に接続するだけで良いので、生産自動化による人件費節減の効果を得ることができ、設置作業が容易である利点がある。
【００３３】
図面には示していないが、すでに述べたように、電気設計によってアース線をドアインターロックスイッチに連結することもできる。この場合は、前述した端子ブロックにアース線分岐連結のための端子体、端子ホール、及び連結線をさらに含んでアース線とドアインターロックスイッチを互いに連結することもできる。
以上のように、前記のような本発明によれば、別途の手作業による電線脱皮段階、結線段階、絶縁テープのテーピング段階などの複雑な作業段階を用いなくて容易に作業することができる。また、各コア線の極性区分が容易であり、連結不良による電源供給障害を防止することができ、漏電及び感電事故を防止することができる。また、昇降路電線、コネクター及び連結線を工場でハーネスタイプで前もって大量製造した後、現場で連結線を接続するだけで良いので、生産自動化による人件費の節減効果を得ることができ、設置作業が容易で卓越した効果を持つ。
【００３４】
これまで、本発明の実施例に基づいて本発明を詳細に説明したが、本発明の権利範囲はこれに限定されず、本発明の実施例と等価のものも本発明の範囲に含まれる。  
【産業上の利用可能性】
【００３５】
本発明は、昇降路電線とドアインターロックスイッチの連結のために手作業で被覆を脱皮する必要がなく、昇降路電線内部の各コア線の極性区分が容易であり、漏電及び感電事故の危険がないし、自動化設備を用いてハーネスタイプに事前に量産できるようにする昇降機ドア開閉用昇降路電線連結構造に適用可能である。
【符号の説明】
【００３６】
１    昇降路電線
１ａ    プラス線
１ｂ    マイナス線
１００    コネクター
１１０    端子ブロック
１１２    端子体
１１２ａ    入力端子部
１１２ｃ    出力端子部
１１２ｂ    スリット
１１４    端子ホール
１１３    フック孔
１１５    切断体
１２０    固定ブロック
１２２    フック部材
３    連結線
３ａ    棒端子
４    乗り場ドア
５    ドアインターロックスイッチ
【図１】
2011162356.tif 000003
【図２】
2011162356.tif 000004
【図３】
2011162356.tif 000005
【図４】
2011162356.tif 000006
【図５】
2011162356.tif 000007
【図６】
2011162356.tif 000008
【図７】
2011162356.tif 000009
【手続補正書】
【提出日】平成23年6月8日(2011.6.8)
【手続補正１】
【補正対象書類名】特許請求の範囲
【補正対象項目名】全文
【補正方法】変更
【補正の内容】
【特許請求の範囲】
【請求項１】
平面帯状の被覆の内部に、プラス極性を有するプラス線、マイナス極性を有するマイナス線及び接地のためのアース線でなるコア線が一定間隔を置いて平行に配置された昇降路電線と；
前記昇降路電線の極性を有するコア線のいずれか一本をドアインターロックスイッチの両端にそれぞれ連結するための連結線と；
昇降路電線の一側面をカバーするもので、一側で昇降路電線の被覆を切開した後、内側に侵入して極性を有するコア線のいずれか一本の相異なる位置にそれぞれ接続される入力端子部と、他側で前記連結線とそれぞれ接続される出力端子部と、が一体的に形成された二つの端子体、及び前記二つの端子体の間に配置され、端子体に接続されたコア線を切断及び絶縁する切断体を含む端子ブロックと；
昇降路電線の他側面をカバーするもので、前記端子ブロックと結合され、コア線と端子体が互いに接続された状態で昇降路電線と端子ブロックを固定させる固定ブロックとを含むことを特徴とする、昇降路電線とドアインターロックスイッチの連結構造。
【請求項２】
前記端子体の入力端子部は、先端が電線の被覆を切開するように刃が形成されて端子ブロックの一側に突出し、中央には昇降路電線のコア線一本が挿入されるようにスリットが形成されたことを特徴とする、請求項１に記載の昇降路電線とドアインターロックスイッチの連結構造。
【請求項３】
前記切断体は、先端が昇降路電線の被覆を切開して侵入するように刃部が形成されて端子ブロックの一側に突出し、下部は電気絶縁性合成樹脂でなった絶縁部で構成され、切断体の先端によって切断されて二分されたコア線を遮断することにより電気が流れないように絶縁させることを特徴とする、請求項１に記載の昇降路電線とドアインターロックスイッチの連結構造。
【請求項４】
前記切断体の中央には、端子体が接続されたコア線一本が挿入されるように切欠部が形成され、前記切欠部には挿入されたコア線を切断するための刃が形成されたことを特徴とする、請求項３に記載の昇降路電線とドアインターロックスイッチの連結構造。
【請求項５】
前記端子ブロックと固定ブロックはフック結合されることを特徴とする、請求項１に記載の昇降路電線とドアインターロックスイッチの連結構造。
【請求項６】
前記昇降路電線と端子ブロックの間、かつ前記昇降路電線と固定ブロックの間にはパッキング部材が備えられることを特徴とする、請求項１に記載の昇降路電線とドアインターロックスイッチの連結構造。
【手続補正２】
【補正対象書類名】明細書
【補正対象項目名】００１２
【補正方法】変更
【補正の内容】
【００１２】
前記のような目的を達成するために、本発明は、平面帯状の被覆の内部に、プラス極性を有するプラス線、マイナス極性を有するマイナス線及び接地のためのアース線でなるコア線が一定間隔を置いて平行に配置された昇降路電線と；前記昇降路電線の極性を有するコア線のいずれか一本をドアインターロックスイッチの両端にそれぞれ連結するための連結線と；昇降路電線の一側面をカバーするもので、一側で昇降路電線の被覆を切開した後内側に侵透して極性を有するコア線のいずれか一本の相異なる位置にそれぞれ接続される入力端子部と他側で前記連結線とそれぞれ接続される出力端子部が一体的に形成された二つの端子体、及び前記二つの端子体の間に配置され、端子体に接続されたコア線を切断及び絶縁する切断体を含む端子ブロックと；昇降路電線の他側面をカバーするもので、前記端子ブロックと結合され、コア線と端子体が互いに接続された状態で昇降路電線と端子ブロックを固定させる固定ブロックとを含む、昇降路電線とドアインターロックスイッチの連結構造を提供する。
【手続補正３】
【補正対象書類名】明細書
【補正対象項目名】００１３
【補正方法】変更
【補正の内容】
【００１３】
前記端子体の入力端子部は、先端が電線の被覆を切開するように刃が形成されて端子ブロックの一側に突出し、中央には昇降路電線のコア線一本が挿入されるようにスリットが形成されることができる。
前記切断体は、先端が昇降路電線の被覆を切開して侵入するように刃部が形成されて端子ブロックの一側に突出し、下部は電気絶縁性合成樹脂でなった絶縁部で構成され、切断体の先端によって切断されて二分されたコア線を遮断することにより電気が流れないように絶縁させることができる。